(57)【要約】【課題】文字と背景との境界がより明瞭な二値画像を得られる画像処理装置等を提供する。【解決手段】予め定められた色空間における画像情報である入力画像情報を取得する入力画像情報取得部６５１と、入力画像情報を基に注目画素を選択する注目画素選択部６５２と、注目画素を含む予め定められた範囲の画像領域を局所領域として設定する局所領域設定部６５３と、局所領域に含まれる画素の色値の平均値である平均色値を算出する平均色値算出部６５５と、平均色値と注目画素の色値との差を予め定められた色空間におけるベクトル量で表した色変位を算出する色変位算出部６５６と、色変位に基づき注目画素の画像情報を二値化する二値化決定部６５７と、を備えることを特徴とする二値化処理部６５。【選択図】図３
2015082774.tif 000002
【特許請求の範囲】
【請求項１】
予め定められた色空間における画像情報である入力画像情報を取得する入力画像情報取得部と、
前記入力画像情報取得部によって取得された前記入力画像情報を基に注目画素を選択する注目画素選択部と、
前記注目画素選択部により選択された前記注目画素を含む予め定められた範囲の画像領域を局所領域として設定する局所領域設定部と、
前記局所領域設定部により設定された前記局所領域に含まれる画素の色値の平均値である平均色値を算出する平均色値算出部と、
前記平均色値算出部により算出された前記平均色値と前記注目画素の色値との差を前記色空間におけるベクトル量で表した色変位を算出する色変位算出部と、
前記色変位算出部により算出された前記色変位に基づき前記注目画素の画像情報を二値化する二値化決定部と、
を備えることを特徴とする画像処理装置。
【請求項２】
前記二値化決定部は、前記色変位の大きさおよび／または方向に基づき前記注目画素の画像情報を二値化することを特徴とする請求項１に記載の画像処理装置。
【請求項３】
前記二値化決定部は、前記色変位算出部が算出した前記色変位から特定の色軸を選択し、当該特定の色軸についての色変位に基づき前記注目画素の画像情報を二値化することを特徴とする請求項１または２に記載の画像処理装置。
【請求項４】
前記局所領域設定部は、前記画像領域の大きさが異なる複数の前記局所領域を設定し、
前記二値化決定部は、前記色変位の大きさが予め定められた値以上となる前記複数の局所領域の中から最小の画像領域のものについて算出された当該色変位を基にして前記注目画素の画像情報を二値化することを特徴とする請求項１乃至３の何れか１項に記載の画像処理装置。
【請求項５】
前記局所領域設定部は、前記画像領域の大きさが異なる複数の前記局所領域を設定し、
前記二値化決定部は、前記色変位の方向が類似する前記局所領域の中から最大の画像領域のものについて算出された当該色変位を基にして前記注目画素の画像情報を二値化することを特徴とする請求項１乃至４の何れか１項に記載の画像処理装置。
【請求項６】
原稿の画像を読み取る画像読み取り手段と、
前記画像読み取り手段により読み取られた前記原稿の画像情報を、予め定められた色空間における画像情報から二値画像情報に変換する処理を行う画像処理手段と、
を備え、
前記画像処理手段は、
予め定められた色空間における画像情報である入力画像情報を取得する入力画像情報取得部と、
前記入力画像情報取得部によって取得された前記入力画像情報を基に注目画素を選択する注目画素選択部と、
前記注目画素選択部により選択された前記注目画素を含む予め定められた範囲の画像領域を局所領域として設定する局所領域設定部と、
前記局所領域設定部により設定された前記局所領域に含まれる画素の色値の平均値である平均色値を算出する平均色値算出部と、
前記平均色値算出部により算出された前記平均色値と前記注目画素の色値との差を前記色空間におけるベクトル量で表した色変位を算出する色変位算出部と、
前記色変位算出部により算出された前記色変位に基づき前記注目画素の画像情報を二値化する二値化決定部と、
を備えることを特徴とする画像読み取り装置。
【請求項７】
予め定められた色空間における画像情報から二値画像情報に変換する処理を行う画像処理手段と、
前記画像処理手段により生成された前記二値画像情報を基に画像を形成する画像形成手段と、
を備え、
前記画像処理手段は、
予め定められた色空間における画像情報である入力画像情報を取得する入力画像情報取得部と、
前記入力画像情報取得部によって取得された前記入力画像情報を基に注目画素を選択する注目画素選択部と、
前記注目画素選択部により選択された前記注目画素を含む予め定められた範囲の画像領域を局所領域として設定する局所領域設定部と、
前記局所領域設定部により設定された前記局所領域に含まれる画素の色値の平均値である平均色値を算出する平均色値算出部と、
前記平均色値算出部により算出された前記平均色値と前記注目画素の色値との差を前記色空間におけるベクトル量で表した色変位を算出する色変位算出部と、
前記色変位算出部により算出された前記色変位に基づき前記注目画素の画像情報を二値化する二値化決定部と、
を備えることを特徴とする画像形成装置。
【請求項８】
コンピュータに、
予め定められた色空間における画像情報である入力画像情報を取得する機能と、
取得された前記入力画像情報を基に注目画素を選択する機能と、
選択された前記注目画素を含む予め定められた範囲の画像領域を局所領域として設定する機能と、
設定された前記局所領域に含まれる画素の色値の平均値である平均色値を算出する機能と、
算出された前記平均色値と前記注目画素の色値との差を前記色空間におけるベクトル量で表した色変位を算出する機能と、
算出された前記色変位に基づき前記注目画素の画像情報を二値化する機能と、
を実現させるプログラム。
【発明の詳細な説明】
【技術分野】
【０００１】
本発明は、画像処理装置、画像読み取り装置、画像形成装置、プログラムに関する。
【背景技術】
【０００２】
従来、スキャナ等で読み取るなどして得られた画像を二値化し、二値画像情報とする装置が知られている。
【０００３】
特許文献１には、少なくとも２つの色チャネルから走査カラー画像データを得て、走査カラー画像データ内で、フォアグラウンド内容とバックグラウンド内容とを含有する少なくとも１つの関心領域を識別し、少なくとも１つの閾値データ値は、関心領域内のフォアグラウンド内容とバックグラウンド内容との間で異なる画像属性に従って得られ、文書の走査カラー画像データは、関心領域から得られた少なくとも１つの閾値データ値に従って、複調画像データに変換される文書から複調画像データを得る方法が開示されている。
また特許文献２には、各色のフィルタを通した画像のエッジ情報を検出する複数のエッジ部と、エッジ検出部の出力の論理和をとる論理和回路と、カラー画像を白黒変換した画像をエッジ検出する検出部と、論理和回路の出力とエッジ検出部の出力との排他的論理和をとる排他的論理和回路と、カラー画像を白黒変換した画像を２値化する多値２値変換部の出力と、排他的論理和回路の排他的論理和をとる排他的論理和回路を備えるファクシミリ装置が開示されている。
【先行技術文献】
【特許文献】
【０００４】
【特許文献１】特開２００９−５３５８９９号公報
【特許文献２】特開平１１−２０５６１７号公報
【発明の概要】
【発明が解決しようとする課題】
【０００５】
本発明は、入力画像情報の二値化を行う際に、文字と背景との境界がより明瞭な二値画像を得られることが望ましい。
【課題を解決するための手段】
【０００６】
請求項１に記載の発明は、予め定められた色空間における画像情報である入力画像情報を取得する入力画像情報取得部と、前記入力画像情報取得部によって取得された前記入力画像情報を基に注目画素を選択する注目画素選択部と、前記注目画素選択部により選択された前記注目画素を含む予め定められた範囲の画像領域を局所領域として設定する局所領域設定部と、前記局所領域設定部により設定された前記局所領域に含まれる画素の色値の平均値である平均色値を算出する平均色値算出部と、前記平均色値算出部により算出された前記平均色値と前記注目画素の色値との差を前記色空間におけるベクトル量で表した色変位を算出する色変位算出部と、前記色変位算出部により算出された前記色変位に基づき前記注目画素の画像情報を二値化する二値化決定部と、を備えることを特徴とする画像処理装置である。
請求項２に記載の発明は、前記二値化決定部は、前記色変位の大きさおよび／または方向に基づき前記注目画素の画像情報を二値化することを特徴とする請求項１に記載の画像処理装置である。
請求項３に記載の発明は、前記二値化決定部は、前記色変位算出部が算出した前記色変位から特定の色軸を選択し、当該特定の色軸についての色変位に基づき前記注目画素の画像情報を二値化することを特徴とする請求項１または２に記載の画像処理装置である。
請求項４に記載の発明は、前記局所領域設定部は、前記画像領域の大きさが異なる複数の前記局所領域を設定し、前記二値化決定部は、前記色変位の大きさが予め定められた値以上となる前記複数の局所領域の中から最小の画像領域のものについて算出された当該色変位を基にして前記注目画素の画像情報を二値化することを特徴とする請求項１乃至３の何れか１項に記載の画像処理装置である。
請求項５に記載の発明は、前記局所領域設定部は、前記画像領域の大きさが異なる複数の前記局所領域を設定し、前記二値化決定部は、前記色変位の方向が類似する前記局所領域の中から最大の画像領域のものについて算出された当該色変位を基にして前記注目画素の画像情報を二値化することを特徴とする請求項１乃至４の何れか１項に記載の画像処理装置である。
請求項６に記載の発明は、原稿の画像を読み取る画像読み取り手段と、前記画像読み取り手段により読み取られた前記原稿の画像情報を、予め定められた色空間における画像情報から二値画像情報に変換する処理を行う画像処理手段と、を備え、前記画像処理手段は、予め定められた色空間における画像情報である入力画像情報を取得する入力画像情報取得部と、前記入力画像情報取得部によって取得された前記入力画像情報を基に注目画素を選択する注目画素選択部と、前記注目画素選択部により選択された前記注目画素を含む予め定められた範囲の画像領域を局所領域として設定する局所領域設定部と、前記局所領域設定部により設定された前記局所領域に含まれる画素の色値の平均値である平均色値を算出する平均色値算出部と、前記平均色値算出部により算出された前記平均色値と前記注目画素の色値との差を前記色空間におけるベクトル量で表した色変位を算出する色変位算出部と、前記色変位算出部により算出された前記色変位に基づき前記注目画素の画像情報を二値化する二値化決定部と、を備えることを特徴とする画像読み取り装置である。
請求項７に記載の発明は、予め定められた色空間における画像情報から二値画像情報に変換する処理を行う画像処理手段と、前記画像処理手段により生成された前記二値画像情報を基に画像を形成する画像形成手段と、を備え、前記画像処理手段は、予め定められた色空間における画像情報である入力画像情報を取得する入力画像情報取得部と、前記入力画像情報取得部によって取得された前記入力画像情報を基に注目画素を選択する注目画素選択部と、前記注目画素選択部により選択された前記注目画素を含む予め定められた範囲の画像領域を局所領域として設定する局所領域設定部と、前記局所領域設定部により設定された前記局所領域に含まれる画素の色値の平均値である平均色値を算出する平均色値算出部と、前記平均色値算出部により算出された前記平均色値と前記注目画素の色値との差を前記色空間におけるベクトル量で表した色変位を算出する色変位算出部と、前記色変位算出部により算出された前記色変位に基づき前記注目画素の画像情報を二値化する二値化決定部と、を備えることを特徴とする画像形成装置である。
請求項８に記載の発明は、コンピュータに、予め定められた色空間における画像情報である入力画像情報を取得する機能と、取得された前記入力画像情報を基に注目画素を選択する機能と、選択された前記注目画素を含む予め定められた範囲の画像領域を局所領域として設定する機能と、設定された前記局所領域に含まれる画素の色値の平均値である平均色値を算出する機能と、算出された前記平均色値と前記注目画素の色値との差を前記色空間におけるベクトル量で表した色変位を算出する機能と、算出された前記色変位に基づき前記注目画素の画像情報を二値化する機能と、を実現させるプログラムである。
【発明の効果】
【０００７】
請求項１の発明によれば、本構成を採用しない場合に比較して、文字と背景との境界がより明瞭な二値画像を得られる画像処理装置を提供することができる。
請求項２の発明によれば、本構成を採用しない場合に比較して、注目画素の二値化処理がより容易になる。
請求項３の発明によれば、本構成を採用しない場合に比較して、二値化処理に要する処理時間がより短くなる。
請求項４の発明によれば、本構成を採用しない場合に比較して、二値化処理の精度がより向上する。
請求項５の発明によれば、本構成を採用しない場合に比較して、二値化処理の精度がより向上する。
請求項６の発明によれば、本構成を採用しない場合に比較して、読み取った画像から文字と背景との境界がより明瞭な二値画像を得られる画像読み取り装置を提供することができる。
請求項７の発明によれば、本構成を採用しない場合に比較して、文字と背景との境界がより明瞭な二値画像を形成することができる画像形成装置を提供することができる。
請求項８の発明によれば、本構成を採用しない場合に比較して、文字と背景との境界がより明瞭な二値画像を得られる処理をコンピュータにより実現できる。
【図面の簡単な説明】
【０００８】
【図１】本実施の形態の画像処理装置が適用される画像読み取り装置の機能構成について説明したブロック図である。
【図２】本実施の形態の画像処理装置が適用される画像形成装置の機能構成について説明したブロック図である。
【図３】本実施の形態の二値化処理部の機能構成について説明したブロック図である。
【図４】本実施の形態の二値化処理部の動作について説明したフローチャートである。
【図５】二値化決定部が、色変位に基づき注目画素の画像情報を二値化する方法の一例について説明した図である。
【図６】（ａ）〜（ｄ）は、局所領域の中での注目画素の位置について説明した図である。
【図７】（ａ）〜（ｃ）は、画像領域の大きさが異なる複数の局所領域を設定したときの色変位の変化について説明した図である。
【図８】（ａ）〜（ｂ）は、本実施の形態により二値化された二値画像と従来技術により二値化された二値画像とを比較した図である。
【発明を実施するための形態】
【０００９】
以下、添付図面を参照して、本発明の実施の形態について詳細に説明する。
【００１０】
＜画像読み取り装置の説明＞
図１は、本実施の形態の画像処理装置が適用される画像読み取り装置１の機能構成について説明したブロック図である。
図示する画像読み取り装置１は、原稿の画像を読み取り得られた画像情報を二値化して二値画像情報を作成する。そして画像読み取り装置１は、後処理部にてこの二値画像情報を利用した予め定められた処理を行う。
【００１１】
図１では、画像読み取り装置１のうち、制御部１０、画像読み取りユニット２０、信号処理部３０、後処理部４０を示している。
【００１２】
制御部１０は、画像読み取り装置１の画像読み取り動作における各部の制御を行う。図示する例では、制御部１０は、画像読み取りユニット２０、信号処理部３０、後処理部４０を制御する。
【００１３】
画像読み取りユニット２０は、原稿の画像を読み取る画像読み取り手段の一例である。そして画像読み取りユニット２０は、駆動モータ２１、発光部２２、受光部２３とを備える。
発光部２２は、複数の発光素子（例えば、ＬＥＤ（Light Emitting Diode））を主走査方向に並べて配置したものである。また受光部２３は、ＣＣＤ(Charge Coupled Devices)で受光するＣＣＤ方式や、発光部２２から原稿に順に照射した光に対する反射光をＣＩＳ(Contact Image Sensor)で受光するＣＩＳ方式のものを用いることができる。
【００１４】
駆動モータ２１は、画像読み取りユニット２０を副走査方向およびその逆方向に移動させる。そして発光部２２が、原稿に対して予め定められた光量で光を原稿に照射する。さらに受光部２３が、原稿から反射された光を受光することにより生成された画像データであるＲ信号、Ｇ信号、Ｂ信号を信号処理部３０に送信する。
【００１５】
信号処理部３０は、サンプルホールド部３１と、ゲイン調整部３２と、オフセット調整部３３と、Ａ／Ｄ変換部３４と、シェーディング補正部３５と、二値化処理部３６とを備える。
【００１６】
サンプルホールド部３１は、受光部２３から出力されたアナログ画像信号であるＲ信号、Ｇ信号、Ｂ信号をサンプリングする。
ゲイン調整部３２は、発光部２２の点灯状態で受光部２３から出力された電圧がＡ／Ｄ変換部３４の最高入力電圧に近い値となるように調整する。
オフセット調整部３３は、発光部２２の消灯状態で受光部２３から出力された電圧がＡ／Ｄ変換部３４の最低入力電圧に近い値となるように調整する。
【００１７】
Ａ／Ｄ変換部３４は、オフセット調整部３３から出力されたアナログ画像信号をデジタル画像信号に変換する。
シェーディング補正部３５は、Ａ／Ｄ変換部３４から出力されたデジタル画像信号に対し、シェーディングデータを用いて、主走査方向の読み取り濃度差の補正を施す。
二値化処理部３６は、画像読み取りユニット２０により読み取られた原稿の画像情報を、予め定められた色空間における画像情報から二値画像情報に変換する処理を行う画像処理手段として機能する。ここではＲＧＢ色空間における画像情報であるＲＧＢ信号を二値化し、二値画像情報とする処理を行う。二値化処理部３６については、後でより詳しく説明を行う。
【００１８】
なおこれら信号処理部３０が行なう各機能は、ＡＳＩＣ（Application Specific Integrated Circuit）等を設けることにより実現することができる。
【００１９】
後処理部４０は、二値化処理部３６により作成された二値画像情報を利用した処理を行う。
この後処理部４０は、例えば、後述する画像形成装置２の画像形成部７０（図２参照）にて画像を形成するための二値画像情報を直接送信するための画像情報送信部である。これにより画像形成装置２にて二値画像の形成が行われる。この場合、画像読み取り装置１は、原稿の画像を読み取り、得られた二値画像情報により画像を形成する画像形成ユニットにおいて原稿の画像を読み取るスキャナ部として捉えることもできる。
またこの後処理部４０は、例えば、ファクシミリ送信を行う機能部である。即ち、外部機器であるファクシミリ装置に対し、公衆電話回線、もしくはＬＡＮ（Local Area Network）、インターネット等のネットワークを介して二値画像情報を送信する。この場合、画像読み取り装置１は、ファクシミリ装置として捉えることもできる。
さらにこの後処理部４０は、例えば、原稿の画像情報を保存するドキュメントアーカイブを行う機能部である。即ち、得られた二値画像情報をＨＤＤ（Hard Disk Drive等に蓄積する。そして他のパーソナルコンピュータ、携帯端末等からの操作により必要なドキュメントの情報がＨＤＤからダウンロードされ、パーソナルコンピュータ、携帯端末等でこのドキュメントの画像が表示される。この場合、画像読み取り装置１は、ドキュメントアーカイブシステムとして捉えることもできる。
またさらにこの後処理部４０は、例えば、文字認識を行う機能部である。即ち、得られた二値画像情報を基に、前もって記憶されたパターンとの照合により二値画像情報に含まれる文字を特定する。この場合、画像読み取り装置１は、ＯＣＲ（Optical Character Reader）として捉えることもできる。
【００２０】
＜画像形成装置の説明＞
図２は、本実施の形態の画像処理装置が適用される画像形成装置２の機能構成について説明したブロック図である。
図示する画像形成装置２は、外部装置であるパーソナルコンピュータ、携帯端末等から送られた画像情報を二値化して二値画像情報を作成する。そして画像形成装置２は、得られた二値画像情報を基に画像形成部にて二値画像の形成が行われる。
【００２１】
図示するように画像形成装置２は、通信Ｉ／Ｆ５０と、制御部６０と、画像形成部７０とを備える。
【００２２】
通信Ｉ／Ｆ５０は、ネットワークを介して外部装置であるパーソナルコンピュータや携帯端末との間で各種情報の送受信を行う。
【００２３】
制御部６０は、印刷データを受け取りページ記述言語(ＰＤＬ：Page Description Language)に変換するＰＤＬ生成部６１と、ＰＤＬ生成部６１により生成されたＰＤＬからラスタイメージを作成するラスタライズ（rasterize）部６２と、ＲＧＢデータをＹＭＣＫデータに変換する色変換処理部６３と、色変換処理部６３により変換されたラスタイメージの調整を行なうラスタイメージ調整部６４と、ＹＭＣＫデータを二値化し二値画像情報とする二値化処理部６５とを備える。
【００２４】
本実施の形態では、まずＰＤＬ生成部６１がＰＣから印刷データを受け取る。この画像データは、パーソナルコンピュータや携帯端末を使用するユーザが、画像形成装置２により印刷したい画像情報である。画像情報を受け取ったＰＤＬ生成部６１は、これをＰＤＬで記述されたコードデータに変換して出力する。
【００２５】
ラスタライズ部６２は、ＰＤＬ生成部６１から出力されてくるＰＤＬで記述されたコードデータを各画素毎のラスタデータに変換し、ラスタイメージとする。そして、ラスタライズ部６２は、変換後のラスタデータをＲＧＢ(Ｒｅｄ、Ｇｒｅｅｎ、Ｂｌｕｅ)のビデオデータ(ＲＧＢビデオデータ)として出力する。このとき、ラスタライズ部６２は、１ページ毎にＲＧＢデータを出力することになる。
【００２６】
色変換処理部６３は、ラスタライズ部６２から入力されるＲＧＢデータをデバイスインディペンデントな［ＸＹＺ］、［Ｌ＊ａ＊ｂ＊］、［Ｌ＊ｕ＊ｖ＊］等のカラーバリューに変換した後、画像形成装置２の再現色(イエロー、マゼンタ、シアン、黒)であるＹＭＣＫデータに変換して出力する。このＹＭＣＫデータは、色毎に分離されたＹ色データ、Ｍ色データ、Ｃ色データ、Ｋ色データで構成され、ここでは画像情報の一例として捉えることができる。
【００２７】
ラスタイメージ調整部６４は、色変換処理部６３から入力されるＹＭＣＫデータに対し、γ変換、精細度処理、中間調処理等を施すことで、より良好な画質を画像形成装置２で得られるように各種の調整を行なう。
【００２８】
二値化処理部６５は、予め定められた色空間における画像情報から二値画像情報に変換する処理を行う画像処理手段の一例である。ここではＹＭＣＫ色空間における画像情報であるＹＭＣＫデータを二値化し、二値画像情報とする処理を行う。
二値化処理部６５については、後でより詳しく説明を行う。
【００２９】
画像形成部７０は、画像形成手段の一例であり、二値化処理部６５により生成された二値画像情報を基に記録媒体である用紙等に画像を形成する。画像形成部７０は、例えばプリンタであり、感光体に付着させたトナーを記録媒体に転写して像を形成する電子写真方式や、インクを記録媒体上に吐出して像を形成するインクジェット方式のものを用いることができる。
【００３０】
ここで従来、画像読み取り装置１や画像形成装置２で、画像情報を二値化する場合に下記のような問題があった。
（１）画像情報について背景の判定を行い、これにより例えば、文字をＯＮ、背景をＯＦＦとして二値化を行う場合、判定精度に補正精度が依存する。
（２）エッジ情報の重畳、または隣接近傍領域を補正して二値化を行う場合、例えば、小さい文字などの場合、文字と背景との間に明瞭な境界が得られにくいとともに、線幅が広い文字の場合、線の中央付近に抜け（白抜け）が発生する場合がある。
（３）エッジ検出、周波数変化分析、ヒストグラム判定などを行う場合、処理時間が長くなる。
【００３１】
＜二値化処理部の機能構成の説明＞
本実施の形態では、以上の問題点の抑制を図るため、画像情報の二値化を行う上述した二値化処理部を以下の構成としている。なお以下の説明では、図２の二値化処理部６５を例にとり説明を行う。
【００３２】
図３は、本実施の形態の二値化処理部６５の機能構成について説明したブロック図である。
本実施の形態の二値化処理部６５は、入力画像情報取得部６５１と、注目画素選択部６５２と、局所領域設定部６５３と、局所領域サイズ記憶部６５４と、平均色値算出部６５５と、色変位算出部６５６と、二値化決定部６５７と、二値画像情報出力部６５８とを備える。
【００３３】
入力画像情報取得部６５１は、予め定められた色空間における画像情報である入力画像情報を取得する。本実施の形態では、入力画像情報取得部６５１は、制御部６０のラスタイメージ調整部６４(図２参照)からのＹＭＣＫ色空間における画像情報を入力画像情報として取得する。
【００３４】
注目画素選択部６５２は、入力画像情報取得部６５１によって取得された入力画像情報を基に注目画素を選択する。詳しくは後述するが、注目画素は、入力画像を構成する画素の中から選択される一画素である。そして入力画像を構成する画素について順に選択されていく。
【００３５】
局所領域設定部６５３は、注目画素選択部６５２により選択された注目画素を含む予め定められた範囲の画像領域を局所領域として設定する。詳しくは後述するが、局所領域は、入力画像の中の予め定められた範囲の画像領域であり、注目画素が例えば、その中央付近に位置するようにする。
【００３６】
局所領域サイズ記憶部６５４は、局所領域の大きさを記憶する。局所領域は、例えば、正方形であり、この場合、局所領域サイズ記憶部６５４は、この正方形の大きさを記憶する。また詳しくは後述するが、局所領域の大きさは、大きさが異なる複数のものが用意されるときがある。この場合、局所領域サイズ記憶部６５４は、それぞれの局所領域の大きさを記憶する。なお局所領域の形状は正方形に限られるものではなく、長方形、六角形、円形など他の形状でもよい。
【００３７】
平均色値算出部６５５は、局所領域設定部６５３により設定された局所領域に含まれる画素の色値の平均値である平均色値を算出する。つまり平均色値算出部６５５は、色空間がＹＭＣＫ色空間であったときは、局所領域に含まれる全ての画素についてのＹ色、Ｍ色、Ｃ色、Ｋ色の色値のそれぞれの合計値を算出し、画素数で除算することで平均値を算出する。そしてＹ色、Ｍ色、Ｃ色、Ｋ色毎について、この平均値を平均色値とする。
【００３８】
色変位算出部６５６は、平均色値算出部６５５により算出された平均色値と注目画素の色値との差を使用する色空間におけるベクトル量で表した色変位を算出する。即ち、使用する色空間中において、平均色値を始点とし、注目画素の色値を終点とするベクトル量を考えることができる。このベクトル量は、大きさおよび方向を有する。ここではベクトル量を色変位とし、色変位算出部６５６では、この色変位を算出する。
【００３９】
二値化決定部６５７は、色変位算出部６５６により算出された色変位に基づき注目画素の画像情報を二値化する。詳しくは後述するが、二値化決定部６５７は、ベクトル量である色変位の大きさおよび／または方向に基づき注目画素の画像情報を二値化する。
【００４０】
二値画像情報出力部６５８は、二値化決定部６５７により生成された二値画像情報を画像形成部７０（図２参照）に対し、出力する。
【００４１】
＜二値化処理部の動作の説明＞
図４は、本実施の形態の二値化処理部６５の動作について説明したフローチャートである。
以下、図３および図４を使用して本実施の形態の二値化処理部の動作について説明を行う。
【００４２】
まず入力画像情報取得部６５１が、入力画像情報を取得する（ステップ１０１）。本実施の形態では、入力画像情報取得部６５１は、ＹＭＣＫ色空間におけるＹＭＣＫデータを入力画像情報として取得する。
【００４３】
次に注目画素選択部６５２が、入力画像情報を基に注目画素を選択する（ステップ１０２）。ここで注目画素は、入力画像の中から選択される一画素であり、二値化の対象となる画素である。注目画素は、入力画像の例えば、第１行目の第１列目に位置する画素から選択が開始され、第１行目の画素が順に選択される。さらに１つの行の画素の選択が全て終了すると次の行の画素が同様に順に選択されていく。これは、最終行目の最終列目の画素が選択されるまで続けられる。
【００４４】
そして局所領域設定部６５３が、注目画素を含む予め定められた範囲の画像領域を局所領域として設定する（ステップ１０３）。局所領域の大きさは、局所領域設定部６５３が局所領域サイズ記憶部６５４を参照して決定される。局所領域は、入力画像の中において予め定められた範囲を切り出した画像領域である。そして注目画素が局所領域の中央付近に位置するように設定することが好ましい。また詳しくは後述するが、このとき複数の大きさの局所領域が選択されることがある。
【００４５】
次に平均色値算出部６５５が、局所領域に含まれる画素の色値の平均値である平均色値を算出する（ステップ１０４）。本実施の形態では、使用する色空間がＹＭＣＫ色空間であるので、Ｙ色、Ｍ色、Ｃ色、Ｋ色の４色のそれぞれに対し、局所領域に含まれる画素の色値の平均色値が算出される。なお局所領域設定部６５３で複数の大きさの局所領域が選択されたときは、この大きさが異なる局所領域毎に平均色値がさらにそれぞれ算出される。例えば、局所領域が３種類選択された場合は、平均色値算出部６５５で算出される平均色値は、４色×３種類＝１２個となる。
【００４６】
次に色変位算出部６５６が、平均色値と注目画素の色値との差を使用する色空間におけるベクトル量で表した色変位を算出する（ステップ１０５）。このときのベクトル量は、
使用する色空間中において、平均色値を始点とし、注目画素の色値を終点とするベクトル量となる。例えばＹ色、Ｍ色、Ｃ色、Ｋ色のそれぞれの平均色値が、Ｙave、Ｍave、Ｃave、Ｋaveであり、注目画素のＹ色、Ｍ色、Ｃ色、Ｋ色のそれぞれの色値がＣ０、Ｍ０、Ｙ０、Ｋ０だったとする。このときＹＭＣＫ色空間中における座標として、（Ｙave、Ｍave、Ｃave、Ｋave）を始点とし、（Ｙ０、Ｍ０、Ｃ０、Ｋ０）を終点とするベクトル量が色変位となる。またＹＭＣＫ色空間中の座標（Ｙave、Ｍave、Ｃave、Ｋave）を点Ａ、座標（Ｙ０、Ｍ０、Ｃ０、Ｋ０）を点Ｂとすれば、ＡＢベクトルが色変位となる。
またこのとき色変位の大きさは、Ａ（Ｙave、Ｍave、Ｃave、Ｋave）とＢ（Ｙ０、Ｍ０、Ｃ０、Ｋ０）との距離となり、色変位の方向は、Ａ（Ｙave、Ｍave、Ｃave、Ｋave）からＢ（Ｙ０、Ｍ０、Ｃ０、Ｋ０）への方向となる。
【００４７】
そして二値化決定部６５７が、色変位に基づき注目画素の画像情報を二値化する（ステップ１０６）。
さらに注目画素選択部６５２が、選択すべき注目画素がさらに存在するか否かを判定する（ステップ１０７）。
そして選択すべき注目画素が存在する場合（ステップ１０７でＹｅｓ）、ステップ１０２に戻る。一方、選択すべき注目画素が存在しない場合（ステップ１０７でＮｏ）、二値画像情報出力部６５８が、生成された二値画像情報を画像形成部７０に対し出力する（ステップ１０８）。
【００４８】
＜注目画素の画像情報を二値化する方法の説明＞
二値化決定部６５７が、色変位に基づき注目画素の画像情報を二値化する方法としては、種々の方法が存在する。
【００４９】
図５は、二値化決定部６５７が、色変位に基づき注目画素の画像情報を二値化する方法の一例について説明した図である。
図５では、ＹＭＣＫ色空間中における色変位を概念的に図示している。
図中色変位は、ＡＢベクトルとして図示されている。そしてこのとき色変位の大きさ（ＡＢベクトルの大きさ）が、この閾値より大きいときは、二値化決定部６５７は、注目画素の二値画像情報をＯＮ（黒）とする。一方、色変位の大きさが、この閾値以下であるときは、二値化決定部６５７は、注目画素の二値画像情報をＯＦＦ（白）とする。
つまり図５で説明した例では、二値化決定部６５７は、色変位の大きさに基づき注目画素の画像情報を二値化する、と言うことができる。
【００５０】
また二値化決定部６５７は、色変位の大きさに加え、色変位の方向を加味して注目画素の画像情報を二値化してもよい。
この場合、例えば、色変位の明度軸に沿った方向（明度軸方向）を加味することが考えられる。つまり色変位の大きさが、閾値より大きいときに、色変位の方向が明度が小さくなる方向であるときは、上述の通り、注目画素の二値画像情報をＯＮ（黒）とする。即ち、入力画像の中で文字は、通常は明度が小さい画像として描かれる。よってこのようにすることで、画像情報を二値化するときに文字の箇所をＯＮ（黒）とすることができる。対して、色変位の大きさが、閾値より大きいときに、色変位の方向が明度が大きくなる方向であるときは、注目画素の二値画像情報をＯＦＦ（白）とする。色変位の明度軸方向は、明度ベクトルと色変位の内積を採ることで導出することができる。
【００５１】
なお色変位の方向としては、明度軸方向に限られるものではなく、他の色軸を採用してもよい。例えば、明度ベクトルと色変位の内積が予め定められた値に達しなかったときは、他の色軸として、Ｙ色の色軸に沿った方向（Ｙ色軸方向）を考え、色変位の方向としてＹ値が大きくなる方向であるときは、注目画素の二値画像情報をＯＮ（黒）とし、Ｙ値が小さくなる方向であるときは、注目画素の二値画像情報をＯＦＦ（白）としてもよい。またＣ色の色軸に沿った方向（Ｃ色軸方向）、Ｍ色の色軸に沿った方向（Ｍ色軸方向）を採用してもよい。
【００５２】
また二値化決定部６５７は、色変位算出部６５６が算出した色変位から特定の色軸を選択し、この特定の色軸についての色変位に基づき注目画素の画像情報を二値化してもよい。
つまり図５の例では、ＡＢベクトルの大きさを算出するのではなく、例えば、色軸としてＹ色の色軸を選択する。そしてＹ色についての平均色値と注目画素の色値の差である、Ｙ０−Ｙaveの値と、予め定められた閾値とを比較する。そしてＹ０−Ｙaveの値が、この閾値より大きいときは、二値化決定部６５７は、注目画素の二値画像情報をＯＮ（黒）とする。一方、色変位の大きさが、この閾値以下であるときは、二値化決定部６５７は、注目画素の二値画像情報をＯＦＦ（白）とする。
この方法では、ＡＢベクトルの大きさを求めるより、二値化決定部６５７で行う処理が少なくてすむという利点がある。
【００５３】
なおこのときＹ色、Ｍ色、Ｃ色、Ｋ色のうちどの色軸を選択するかが問題となるが、それぞれの色軸のうち、平均色値と注目画素の色値の差が最も大きい色軸を選択すればよい。即ち、Ｙ０−Ｙave、Ｍ０−Ｍave、Ｃ０−Ｃave、Ｋ０−Ｋaveの値をそれぞれ算出し、これらの色値の差の中から最大のものを選択すればよい。またはＹＭＣＫのうち注目画素の色値が最も大きいものを選択してもよい。即ち、Ｙ０、Ｍ０、Ｃ０、Ｋ０のうち最も大きいものについての色軸を選択する。
【００５４】
なおこのように特定の色軸を選択し、この特定の色軸についての色変位に基づき注目画素の画像情報を二値化する場合、二値化決定部６５７は、色変位であるＡＢベクトルを特定の色軸について射影したときの大きさに基づき注目画素の画像情報を二値化すると言い換えることもできる。
【００５５】
また上述した例では、Ｙ色、Ｍ色、Ｃ色、Ｋ色についての色軸を考えたが、これに限られるものではなく、他の色軸であってもよい。例えば、上述した明度軸や、彩度を表す彩度軸などを選択してもよい。
また色軸の選択にあたり、注目画素に対し周辺に位置する画素の色変位を参照してもよい。つまりこの周辺に位置する画素が注目画素であるときに選択される色軸と同様の色軸を選択することで、色軸の選択が大きくばらつくことがなく、二値化を行う際の判定精度がより向上する。
【００５６】
図６（ａ）〜（ｄ）は、局所領域の中での注目画素の位置について説明した図である。
図６（ａ）は、局所領域Ｒが、文字を含まない背景のみであり、注目画素Ｑも背景の画素である場合を示している。また図６（ｂ）は、局所領域Ｒが、文字を一部含むが、注目画素Ｑは背景の画素である場合を示している。さらに図６（ｃ）は、局所領域Ｒが、文字を一部含み、注目画素Ｑは文字の画素である場合を示している。またさらに図６（ｄ）は、局所領域Ｒが、背景を含まない文字のみであり、注目画素Ｑも文字の画素である場合を示している。
【００５７】
このとき図６（ａ）の場合、局所領域Ｒが適切な大きさ（それほど大きくはない大きさ）であれば、背景は、一色により形成されるため、平均色値と注目画素Ｑの色値との差は、ほとんどない。よってこの場合、閾値を適切な値に設定すれば、この色値の差は、閾値以下となる。よって注目画素Ｑは、背景の画素と判定され、二値画像情報をＯＦＦ（白）とすることができる。
【００５８】
そして図６（ｂ）のように局所領域Ｒ中に文字が含まれると、文字が含まれる領域が大きいほど、平均色値と注目画素Ｑの色値との色値の差は、大きくなっていく。つまり平均色値が文字の色値の影響を受け、平均色値は、背景の色値と文字の色値の間となる。その結果、背景の色値を示す注目画素Ｑの色値との差が生じる。ただし閾値を適切な値に設定すれば、図６（ｂ）の場合、色値の差は閾値以下となり、注目画素Ｑは、背景の画素と判定され、二値画像情報がＯＦＦ（白）となる。
【００５９】
一方、図６（ｃ）の場合では、注目画素Ｑの色値は、文字の色値となる。そして平均色値は、図６（ｂ）と同様に背景の色値と文字の色値の間となる。このような場合、平均色値と注目画素Ｑの色値との差は一般的に大きくなるため、閾値を適切な値に設定すれば、平均色値と注目画素Ｑの色値との差は閾値より大きくなる。よって注目画素Ｑは、文字の画素と判定され、二値画像情報がＯＮ（黒）となる。
【００６０】
よって、図６（ａ）〜（ｃ）の場合、閾値を適切な値に設定すれば、注目画素Ｑが背景の画素であるか、文字の画素であるかが判定でき、二値画像情報としたときに背景の箇所は、ＯＦＦ（白）となるとともに、文字の箇所は、ＯＮ（黒）となる。この方法によれば、図６（ｂ）の場合と図６（ｃ）の場合とで、区別が可能である。
【００６１】
つまり本実施の形態では、まず入力画像は、局所的には一色または二色で構成されていることを想定している。そして入力画像が一色で構成されている場合は、色変位の大きさは小さいが、入力画像が二色で構成されている場合は、色変位の大きさが大きくなることを利用する。即ち、色変位の大きさに閾値を設定し、色変位の大きさがこの閾値を超えるか、閾値以下であるかにより注目画素Ｑが文字を構成する画素であるか、背景を構成する画素であるかを判定している。そして注目画素Ｑが文字を構成する画素と判定したときは、二値画像情報を、例えば、ＯＮ（黒）とし、注目画素Ｑが背景を構成する画素と判定したときは、二値画像情報を、例えば、ＯＦＦ（白）とする。
【００６２】
ただし、図６（ｄ）のような場合は、平均色値と注目画素Ｑの色値との色値の差は図６（ａ）と同様にほとんどなくなるため、この注目画素Ｑについては、背景の画素と判定される。その結果、二値画像情報がＯＦＦ（白）となり、誤判定が生じる。この場合、例えば、文字の線の中央付近に抜け（白抜け）が発生するような現象が起こる。
【００６３】
そこで本実施の形態では、二値化決定部６５７が、注目画素Ｑの画像情報を二値化する際に、適切な大きさの局所領域Ｒの色変位に基づき判定を行う。そして判定を行う際の局所領域Ｒが図６（ｄ）のような場合になることを防止し、誤判定を回避している。
【００６４】
図７（ａ）〜（ｃ）は、画像領域の大きさが異なる複数の局所領域Ｒを設定したときの色変位の変化について説明した図である。
図７（ａ）は、局所領域Ｒとして大きさが異なる３種類（小、中、大）のものを選択した場合を示している。そして図７（ｂ）は、注目画素Ｑ１について、図７（ａ）で示すそれぞれの局所領域Ｒにおける色変位を概念的に示している。さらに図７（ｃ）は、注目画素Ｑ２について、図７（ａ）で示すそれぞれの局所領域Ｒにおける色変位を概念的に示している。
【００６５】
ここで図７（ｂ）に示す注目画素Ｑ１の場合、局所領域Ｒが「小」の場合は、色変位の大きさは、小さく、向きは図中上方を向いている。そして局所領域Ｒが「中」の場合は、色変位の大きさは、大きくなり、向きは図中ほぼ上方を向いている。さらに局所領域Ｒが「大」の場合は、色変位の大きさは、局所領域Ｒが「中」の場合と変わらず、向きは図中左上の方向を向いている。
【００６６】
また図７（ｃ）に示す注目画素Ｑ２の場合、局所領域Ｒが「小」の場合は、色変位の大きさは、大きく、向きは図中右上の方向を向いている。そして局所領域Ｒが「中」の場合は、色変位の大きさと方向は、局所領域Ｒが「小」の場合と変わらない。さらに局所領域Ｒが「大」の場合は、色変位の大きさは、局所領域Ｒが「中」の場合と変わらず、向きは図中ほぼ上方を向いている。
【００６７】
このとき本実施の形態では、二値化決定部６５７が、例えば、下記の基準（Ｉ）、（ＩＩ）により局所領域Ｒを選択し、この局所領域Ｒについて算出された色変位を基にして注目画素Ｑの画像情報を二値化する。
【００６８】
（Ｉ）色変位の大きさが予め定められた値以上となる複数の局所領域Ｒの中から最小の画像領域のものを選択する。
（ＩＩ）色変位の方向が類似する局所領域Ｒの中から最大の画像領域のものを選択する。
【００６９】
上記基準（Ｉ）によれば、注目画素Ｑ１の場合、局所領域Ｒが「中」、「大」のときに色変位の大きさが予め定められた値以上であったとすると、この中から最小の画像領域のものとして「中」の局所領域Ｒを選択する。また注目画素Ｑ２の場合、局所領域Ｒが「小」、「中」、「大」の全てで色変位の大きさが予め定められた値以上であったとすると、この中から最小の画像領域のものとして「小」の局所領域Ｒを選択する。
【００７０】
つまり注目画素Ｑ１の場合、局所領域Ｒが「小」の場合は、色変位の大きさが小さいため、図６（ａ）の場合に該当し、局所領域Ｒが「中」、「大」の場合は、色変位の大きさが大きくなるため、図６（ｂ）または図６（ｃ）の場合に該当することを意味する。よってこの場合、局所領域Ｒが「中」、「大」の何れかを選択すればよい。ただし、局所領域Ｒが「大」の場合は、局所領域Ｒが「小」、「中」に対し、色変位の方向が変化している。これは、局所領域Ｒが大きくなることにより、背景を構成する色が一色ではなく他の色が混入してきたためと考えられる。背景を構成する色は一色（つまり文字の色と合わせ局所領域Ｒが二色で構成される）である方が、二値化するときの判定精度の点からは、より好ましい。そのためこのように局所領域Ｒとして複数の候補が存在したときは、他の色の混入を抑制するため、より小さい画像領域Ｒのものを選択するようにする。よってこの場合は、局所領域Ｒが「中」のものが選択される。
【００７１】
また注目画素Ｑ２の場合、局所領域Ｒが「小」、「中」、「大」の全てで、図６（ｂ）または図６（ｃ）の場合に該当することを意味する。そしてこの中から最小の画像領域のものとして局所領域Ｒが「小」のものが選択される。
【００７２】
また上記基準（ＩＩ）によれば、注目画素Ｑ１の場合、局所領域Ｒが「小」、「中」のときに色変位の方向が類似であるが、この中から最大の画像領域のものとして「中」の局所領域Ｒを選択する。また注目画素Ｑ２の場合も、局所領域Ｒが「小」、「中」のときに色変位の方向が類似であるが、この中から最大の画像領域Ｒのものとして「中」の局所領域Ｒを選択する。
【００７３】
つまり上述の通り、色変位の方向がほぼ同じであれば、背景を構成する色が一色である可能性が高い（つまり文字の色と合わせ局所領域Ｒが二色で構成される）。よって二値化するときの判定精度の点から色変位の方向が類似する局所領域Ｒがまず選択する。そして局所領域Ｒがより大きい方が、図６（ｂ）または図６（ｃ）の場合に該当する可能性が高い。そのため注目画素Ｑ１、Ｑ２の双方で「中」の局所領域Ｒを選択する。
【００７４】
以上基準（Ｉ）、（ＩＩ）の２つの基準について説明したが、この何れかの基準を採用してもよく、双方を併用してもよい。
このように画像領域の大きさが異なる複数の局所領域Ｒを設定し、基準（Ｉ）、（ＩＩ）を採用することで、上述した図６（ｄ）のような局所領域Ｒではなく、図６（ｂ）、図６（ｃ）のような局所領域Ｒを選択することが可能となる。
なお局所領域Ｒの大きさとしては、他の色が混入しない限り、より大きい方が二値化するときの判定精度はより高い。そのため最も大きい大きさの局所領域Ｒが選択された場合は、さらに大きい局所領域Ｒを追加して設定し、基準（Ｉ）、（ＩＩ）を適用してもよい。
【００７５】
本実施の形態によれば、背景の判定の精度に依存するようなことが生じにくく、文字と背景との境界がより明瞭である二値画像を得ることができる。
また本実施の形態によれば、文字の大きさや、文字と背景の色の組み合わせに依存しにくく、文字と背景との境界がより明瞭である二値画像を得ることができる。
さらになだらかな絵柄の上に文字が存在する入力画像の場合でも、適切な大きさの局所領域を設定することで、局所領域中の画像が一色または二色で構成されるものとすることができる。そのためこのような場合でも文字と背景との境界がより明瞭である二値画像を得ることができる。
そしてエッジ検出、周波数変化分析、ヒストグラム判定などは行わなくてよいため、処理が軽く、二値化処理の処理時間がより短くてすむ。
また適切な大きさの局所領域を設定することで、線幅が広い文字の場合でも線の中央付近に抜け（白抜け）が発生しにくくなる。
【００７６】
図８（ａ）〜（ｂ）は、本実施の形態により二値化された二値画像と従来技術により二値化された二値画像とを比較した図である。ここでは入力画像として、背景が青色、文字である「長」の箇所が緑色であるものに対し二値化処理した結果を示している。また従来技術としては、文字のエッジ抽出を行い、抽出したエッジを重畳させることで文字と背景との境界を再現した場合を示している。
図８（ａ）に示すように本実施の形態による二値化処理では、「長」で示される文字の部分が背景に対して明瞭な境界を有して分離されていることがわかる。対して、図８（ｂ）に示すように従来技術による二値化処理では、「長」で示される文字の部分と背景との境界が不明瞭であり、さらに「長」の文字を構成する線の中央付近に抜け（白抜け）が発生している。
【００７７】
なお以上詳述した例では、入力画像情報を二値化処理したときに、ＯＮの場合を白（白画素）、ＯＦＦの場合を黒（黒画素）としていたが、これに限られるものではなく、他の色を設定してもよい。
また以上詳述した例では、ＹＭＣＫ色空間を使用した場合について説明したが、これに限られるものではなく、ＲＧＢ色空間など他の色空間でもよい。
さらに以上詳述した例では、色変位である平均色値と注目画素の色値との差として、単純に色値の差を考えたが、これに限られるものではなく、平均色値と注目画素の色値とを比較したときの変化率や微分値等を求め、これを平均色値と注目画素の色値との差としてもよい。
またさらに以上詳述した例では、平均色値は、局所領域に含まれる画素の色値の単純な平均値を算出することで導出していたが、これに限られるものではなく、画素毎に重みをつけてもよい。
【００７８】
そして以上詳述した例では、閾値を設定し、色変位の大きさが閾値を超えるか否かで、注目画素のＯＮ、ＯＦＦを決める固定二値化の方法を採用していたが、これに限られるものではない。例えば、注目画素ごとに、例えば、周辺領域の濃度に応じて閾値を調整して注目画素のＯＮ、ＯＦＦを決める浮動二値化の方法を採用してもよい。またこの場合、局所領域の大きさにより二値化処理の精度が依存する。よって局所領域の大きさを可変とし、色変位に応じて局所領域の大きさを決定するようにすることが好ましい。
【００７９】
また以上詳述した例では、二値化処理部３６（図１参照）は、画像読み取り装置１（図１参照）の一部であり、二値化処理部６５（図２参照）は、画像形成装置２（図２参照）の一部であったが、これに限られるものではなく、画像処理装置として単独でも使用することができる。
【００８０】
＜プログラムの説明＞
二値化処理部３６、６５が行なう処理は、ソフトウェアとハードウェア資源とが協働することにより実現される。即ち、信号処理部３０（図１参照）や制御部６０（図２参照）に設けられた制御用コンピュータ内部の図示しないＣＰＵが、二値化処理部３６、６５の各機能を実現するプログラムを実行し、上述した制御を行なうことで、これらの各機能を実現させる。
【００８１】
よって二値化処理部３６、６５が行なう処理は、コンピュータに、予め定められた色空間における画像情報である入力画像情報を取得する機能と、取得された入力画像情報を基に注目画素を選択する機能と、選択された注目画素を含む予め定められた範囲の画像領域を局所領域として設定する機能と、設定された局所領域に含まれる画素の色値の平均値である平均色値を算出する機能と、算出された平均色値と注目画素の色値との差を色空間におけるベクトル量で表した色変位を算出する機能と、算出された色変位に基づき注目画素の画像情報を二値化する機能と、を実現させるプログラムとして捉えることができる。
【００８２】
なお、本実施の形態を実現するプログラムは、通信手段により提供することはもちろん、ＣＤ−ＲＯＭ等の記録媒体に格納して提供することも可能である。
【符号の説明】
【００８３】
１…画像読み取り装置、２…画像形成装置、１０…制御部、２０…画像読み取りユニット、３０…信号処理部、３６…二値化処理部、４０…後処理部、５０…通信Ｉ／Ｆ、６０…制御部、６５…二値化処理部、７０…画像形成部、６５１…入力画像情報取得部、６５２…注目画素選択部、６５３…局所領域設定部、６５４…局所領域サイズ記憶部、６５５…平均色値算出部、６５６…色変位算出部、６５７…二値化決定部、６５８…二値画像情報出力部
【図１】
2015082774.tif 000003
【図２】
2015082774.tif 000004
【図３】
2015082774.tif 000005
【図４】
2015082774.tif 000006
【図５】
2015082774.tif 000007
【図６】
2015082774.tif 000008
【図７】
2015082774.tif 000009
【図８】
2015082774.tif 000010